(57)【特許請求の範囲】
【請求項１】
遊技球が前面側を流下する遊技板を備えた遊技機において、
前記遊技板の前面側には、発射装置から発射された遊技球が通過する発射通路と、該発射通路から排出された遊技球が流下する遊技領域とが形成され、
前記発射通路と前記遊技領域とを仕切る仕切り部を備え、
前記仕切り部は、前記遊技板に対して平行な断面における前記発射通路側と前記遊技領域側とに起伏形状が設けられて構成され、
前記仕切り部の前記発射通路側であって当該発射通路が前記仕切り部に対して斜め上側に位置する部分に前記起伏形状が設けられ、
前記発射装置から発射された遊技球が前記遊技領域に到達せずに前記発射通路を逆流する場合に、前記起伏形状が設けられた部分の斜め上側に、前記逆流する遊技球が接触可能に構成されていることを特徴とする遊技機。
【請求項２】
前記遊技機は、パチンコ機であることを特徴とする請求項１記載の遊技機。
【発明の詳細な説明】
【技術分野】
【０００１】
本発明は、パチンコ機等の遊技機に関する。
【背景技術】
【０００２】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特許文献１参照）。
【先行技術文献】
【特許文献】
【０００３】
【特許文献１】特開２００８−１６１６３８号公報
【発明の概要】
【発明が解決しようとする課題】
【０００４】
しかしながら、従来の遊技機においては、未だ改良の余地があった。
【０００５】
本発明は、上記例示した事情等に鑑みてなされたものであり、好適に改良された遊技機を提供することを目的とするものである。
【課題を解決するための手段】
【０００６】
上記課題を解決すべく、請求項１記載の発明は、
遊技球が前面側を流下する遊技板を備えた遊技機において、
前記遊技板の前面側には、発射装置から発射された遊技球が通過する発射通路と、該発射通路から排出された遊技球が流下する遊技領域とが形成され、
前記発射通路と前記遊技領域とを仕切る仕切り部を備え、
前記仕切り部は、前記遊技板に対して平行な断面における前記発射通路側と前記遊技領域側とに起伏形状が設けられて構成され、
前記仕切り部の前記発射通路側であって当該発射通路が前記仕切り部に対して斜め上側に位置する部分に前記起伏形状が設けられ、
前記発射装置から発射された遊技球が前記遊技領域に到達せずに前記発射通路を逆流する場合に、前記起伏形状が設けられた部分の斜め上側に、前記逆流する遊技球が接触可能に構成されていることを特徴とする。
【発明の効果】
【０００７】
本発明によれば、好適に改良された遊技機を提供することができる。
【図面の簡単な説明】
【０００８】
【図１】第１実施形態におけるパチンコ機の斜視図である。
【図２】遊技盤の正面図である。
【図３】（ａ）は、遊技釘の固定状態を示す縦断面図であり、（ｂ）は、図３（ａ）に示す遊技釘の先端側の形状を示した部分拡大図であり、（ｃ）は、図３（ｂ）のＡ−Ａ線における遊技釘の断面図であり、（ｄ）は、図３（ｂ）のＢ−Ｂ線における遊技釘の断面図である。
【図４】（ａ）は、第２の遊技釘の側面図であり、（ｂ）は、図４（ａ）のＤ−Ｄ線における遊技釘の断面図であり、（ｃ）は、図４（ａ）に示す遊技釘の取り付け態様を説明する図である。
【図５】（ａ）は、第３の遊技釘の側面図であり、（ｂ）は、図５（ａ）のＥ−Ｅ線における遊技釘の断面図である。
【図６】（ａ）は、連結部の長手方向を見る向きから見た釘ユニットの側面図であり、（ｂ）は、図６（ａ）における矢印Ｇ方向に見た遊技釘の側面図であり、（ｃ）は、図６（ａ）のＦ−Ｆ線における遊技釘の断面図である。（ｄ）は、図６（ａ）における矢印Ｈ方向に見た連結部の側面図である。
【図７】（ａ）は、第１の取り付け態様で取り付けられた第２実施形態に係る一般入賞装置の正面図であり、（ｂ）は、第２の取り付け態様で取り付けられた第２実施形態に係る一般入賞装置の正面図である。
【発明を実施するための形態】
【０００９】
＜パチンコ機の全体構成＞
以下、本発明の実施形態として、遊技機の一種であるパチンコ遊技機（以下、「パチンコ機」という）を参照して説明する。図１は、本発明の第１実施形態におけるパチンコ機１０の斜視図、図２はパチンコ機１０に備えられる遊技盤２０の正面図である。
【００１０】
パチンコ機１０には、図１に示すように、その中央部分に透明なガラス板１１が前後一対に配置された窓部１２が設けられ、その窓部１２を介して、遊技球が前面側を流下する遊技盤２０（図２参照）が遊技者から視認可能とされている。窓部１２の下側には、上下２つの球皿１３，１４が設けられ、この球皿１３，１４内に遊技球が貯留される。球皿１３，１４の右側には、発射ハンドル１５が設けられ、遊技者が発射ハンドル１５を操作すると、上側の球皿１３に貯留された遊技球が１球ずつ、遊技盤２０の前面側に向けて発射される。
【００１１】
遊技盤２０には、図２に示すように、略円形状に外周が区画された内側部分に遊技領域２１が形成されている。遊技領域２１の中央部および下側部分における左右両側には、センター装飾部材２２および複数のサイド装飾部材２３が設けられ、それら装飾部材２２，２３を避けた遊技領域２１の全域に多数の遊技釘が立設されている。本実施形態の遊技盤２０には、４種類の遊技釘、すなわち、遊技釘１００Ａ〜１００Ｃと、釘ユニット２００の一部である遊技釘１００Ｄ（図６参照）とが立設されている。
【００１２】
遊技釘１００Ａ〜１００Ｄが設けられる領域には、一般入賞口２４、始動入賞口２５，２６、大当たり時に開放される入賞口を開閉する可変入賞装置２７、スルーゲート２８等の遊技者にとって特典が付与される入球口が設けられ、それら入球口に遊技球が入球することで賞球が払い出されたり、大当たり等の抽選が行われたりする。遊技盤２０は、図２に示すように、その外形を形成する木製の遊技板５０を備え、遊技板５０の表面側から多数の遊技釘１００Ａ〜１００Ｄが打ち込まれて取り付けられている。
【００１３】
遊技板５０は、遊技釘１００Ａ〜１００Ｄを保持する板状の部材であり、切削加工による単一の木製板材若しくは木製の薄板を複数重ね合わせた合板によって形成されている。遊技板５０は、必ずしも木製とする必要はなく、ポリカーボネート樹脂、アクリル樹脂等の合成樹脂製の板材または射出成形品により構成しても良い。
【００１４】
遊技板５０には、装飾部材等が取り付けられる貫通穴が設けられ、上記した各種の入賞口２４〜２６、可変入賞装置２７、スルーゲート２８等を構成する各部材が取り付けられている。また、遊技板５０には、予め形成された下穴５３（図３（ｂ）参照）に対して、釘打ち装置によって多数の遊技釘１００Ａ〜１００Ｄが打ち込まれて固定されている。なお、必ずしも下穴５３を予め設けて遊技釘１００Ａ〜１００Ｄを遊技板５０に打ち込む必要はなく、表面が平滑な遊技板５０に対して遊技釘１００Ａ〜１００Ｄを打ち込んでも良いし、遊技板５０の表面にわずかな凹みを設け、その凹みに遊技釘１００Ａ〜１００Ｄを打ち込んでも良い。また、以下の説明において、下穴５３に対して遊技釘１００Ａ〜１００Ｄが打ち込まれ、打ち込み前に比べて遊技釘１００Ａ〜１００Ｄによって変形し、拡大された状態の穴部を釘穴５２と称す。
【００１５】
また、遊技盤２０には、遊技板５０の左下から右上に亘り滑らかに湾曲して立設される外レール２６と、遊技板５０の右下から左側中ほどまでに亘り滑らかに湾曲して立設される内レール２７とを備えている。外レール２６および内レール２７は、いずれも、金属製の薄板から構成される。また、内レール２７における遊技板５０の左側の先端からは、複数の遊技釘１００Ａが外レール２６に沿って遊技板５０の左上まで配設されている。
【００１６】
外レール２６は、発射装置（図示せず）から、発射ハンドル１５の操作量に応じた強度で発射された遊技球を遊技領域２１内へ誘導するものである。外レール２６と、内レール２７または内レール２７の先に配列された複数の遊技釘１００Ａとが平行に対向する間部分には、発射装置から発射された遊技球が通過する発射通路３１が形成される。よって、内レール２７の先に配列された複数の遊技釘１００Ａは、遊技領域２１と発射通路３１とを仕切る仕切り部として機能する。
【００１７】
ここで、パチンコ機１０において、遊技領域２１と発射通路３１との仕切り部を、配列された複数の遊技釘１００Ａによって構成としたことに係る作用および効果を説明する。
【００１８】
遊技釘１００Ａは、図３を参照して後述する通り、細長く形成された軸部１０１Ａ（図３（ａ））が軸方向（長手方向）に対して垂直な断面が円形の一定形状に形成されている。そのため、内レール２７の先に配列された複数の遊技釘１００Ａは、各遊技釘１００Ａの軸部１０１Ａの外周形状による起伏を、遊技領域２１および発射通路３１のそれぞれの側に有する仕切り部を構成する。よって、遊技領域２１を流下する遊技球が、遊技領域２１の側にて起伏形状に構成された仕切り部（すなわち、配列された複数の遊技釘１００Ａ）に接触した場合の挙動は、内レール２７のような、滑らかに湾曲して立設される薄板に接触した場合に比べて複雑化されることになる。
【００１９】
近年、センター装飾部材２２など、遊技領域２１の中央に配設される中央構造体が遊技の興趣向上のために大型化される傾向にある。中央構造体が大型化されると、その分、遊技球を流下可能な領域が限定されることになる。遊技球を流下可能な領域が限定されると、遊技球の流下挙動が単調となり易く、遊技球を流下させて始動入賞口や一般入賞口などに入賞させる遊技の興趣が失われる可能性があった。これに対し、上述したように、複数の遊技釘１００Ａを遊技領域２１に対する仕切り部として配列させることで、当該仕切り部に遊技領域２１側から接触した遊技球の挙動が複雑化されるので、中央構造体が大型化されたことで遊技領域が限定される場合であっても、遊技球の流下挙動が単調となり難く、好適な遊技の興趣を提供できる。
【００２０】
また、発射通路３１の側においても起伏形状に構成された仕切り部（すなわち、複数の配列された遊技釘１００Ａ）は、発射装置から発射された遊技球が遊技領域２１に到達せずに発射通路３１を逆流する場合において、逆流する遊技球の挙動が当該仕切り部との接触によって複雑化されるため、逆流する遊技球と、発射装置から新たに発射された遊技球との衝突位置が不定になり易くなる。
【００２１】
従来、発射装置から発射された遊技球が遊技領域２１に到達せずに発射通路３１を逆流した場合、そのように逆流する遊技球が、発射装置から次に発射された遊技球と特定の位置で衝突して遊技領域２１側へと弾き飛ばされた後、発射通路３１を再度逆流して、発射装置から次に発射された別の遊技球と特定の位置で再度衝突するというサイクルを断ち切ることができず、遊技になかなか復帰できないという問題があった。これに対し、上述したように、遊技領域２１と発射通路３１とを仕切る仕切り部が、発射通路３１の側において起伏形状に構成されたことで、発射通路３１を逆流する遊技球と、発射装置から新たに発射された遊技球との衝突位置が不定になり易くなり、それにより、遊技球が発射通路を逆流する事象が発生した後、遊技を早期に復帰させることが可能となる。
【００２２】
また、一般的に、遊技領域２１と発射通路３１とを仕切る内レール２７のようなレールは、金属製の薄板を滑らかに湾曲させながらねじ止めなどによって所定間隔で固定することで遊技板５０に立設されているために、使用によって歪み易いという問題があった。遊技領域と発射通路とを仕切るレールが歪んだ場合、遊技領域を流下する遊技球が遊技釘とレールとの間に嵌まり込むなど、適正な遊技が阻害される可能性がある。これに対し、複数の遊技釘１００Ａから構成された仕切り部は、個々の遊技釘１００Ａに歪みが生じ難いことから、当該仕切り部について使用による歪みが生じ難く、適正な遊技を長期にわたって提供することができる。
【００２３】
＜遊技釘１００Ａ＞
次に、図３を参照して、基本的な遊技釘である遊技釘１００Ａに関する構成について説明する。図３（ａ）は、遊技板５０と遊技釘１００Ａとの固定状態を示す縦断面図である。図３（ｂ）は、遊技釘１００Ａの先端側の形状を示した部分拡大図であり、図３（ｃ）は、図３（ｂ）のＡ−Ａ線における遊技釘１００Ａの断面図である。また、図３（ｄ）は、図３（ｂ）のＢ−Ｂ線における遊技釘１００Ａの断面図である。なお、図３においては、理解の容易のために、図３（ａ）には遊技球を実線により併せて示し、図３（ｂ）には下穴５３の深さ方向先端側における一部の外形形状を二点鎖線で示し、遊技釘１００Ａの一部の縦断面の形状を斜線を付して示している。
【００２４】
遊技釘１００Ａは、図３（ａ）に示すように、遊技板５０に対して一端側が保持され、遊技板５０の前面５１が向く前方側に突出するようにして遊技板５０に取り付けられている。この遊技釘１００Ａが突出する側が遊技盤２０の前面側に設けられる遊技領域に相当し、この前面側を遊技球が流下する。
【００２５】
遊技釘１００Ａは、図３（ａ）に示すように、細長く形成された軸部１０１Ａと、軸部１０１Ａの一端側であって遊技板５０の前面５１側に突出する先端側端部（突端部）にて軸部１０１Ａより太く形成された頭部１０２とを有している。遊技釘１００Ａの軸部１０１Ａは、図３（ｄ）に示すように、軸方向（長手方向）に対して垂直な断面が円形の一定形状に形成されている。
【００２６】
遊技釘１００Ａは、金属製であり、例えば、黄銅（真鍮）によって形成され、線材に対して転造などの圧造加工を施して形成されている。なお、遊技釘１００Ａは、必ずしも圧造加工によって形成する必要はなく、これに代えて、又は、これに加えて切削加工等の他の加工を用いて形成しても良い。
【００２７】
遊技板５０とガラス板１１の間を流下する遊技球は、図３（ａ）に示すように、軸部１０１Ａの一部分であって、抜止部１１３と頭部１０２との間にて断面形状が円形の一定形状に形成された当接部１１４に当接する。遊技釘１００Ａは、遊技板５０の前面５１に対して略垂直に取り付けられ、上方から遊技釘１００Ａに当接した遊技球が遊技板５０側に案内され、遊技板５０の前面５１に沿って遊技球が落下し易く構成されている。なお、遊技釘１００Ａが遊技板５０の前面５１に対して略垂直に取り付けられるとは、必ずしも完全に垂直に取り付けられる場合に限らず、僅かに（例えば、５度以内）傾斜を設けて取り付けられても良く、例えば、水平より僅かに上側を向くように傾斜させて取り付けられても良い。
【００２８】
軸部１０１Ａは、頭部１０２とは反対側となる端部に、先端部１１１と、螺旋部１１２と、抜止部１１３とを備えている。遊技釘１００Ａは、軸部１０１Ａにおける先端部１１１側から遊技板５０に打ち込まれ、螺旋部１１２と抜止部１１３とが遊技板５０の厚み内に位置して固定される。遊技板５０に固定された遊技釘１００Ａは、遊技板５０の前面５１より頭部１０２と軸部１０１Ａの一部分とが突出し、遊技釘１００Ａが突出する突出量は、例えば、略１８．５ｍｍとされている。
【００２９】
遊技釘１００Ａは、先端部１１１が位置する側が打込方向先端側（図３（ｂ）の右側）となり、頭部１０２に近い側が打込方向後端側となるようにして遊技板５０に打ち込み固定される。先端部１１１は、直径が先端側から次第に増大する略円形状の断面形状を有して先端側に位置する先端側尖形部１１１ａと、先端側尖形部１１１ａより打込方向後端側に形成された先端側直線部１１１ｂとを有している。
【００３０】
先端側尖形部１１１ａは、軸部１０１Ａの軸方向に垂直な側面視（図３（ｂ）における紙面垂直方向視）において略三角形状であって、略円錐状に形成されている。先端側直線部１１１ｂは、軸部１０１Ａの軸方向（図３（ｂ）の一点鎖線で示す軸部１０１Ａの中心軸線が連続する方向）に沿って直径が略同一であって略円形の断面形状に形成されている。
【００３１】
先端側尖形部１１１ａの先端部分は、軸部１０１Ａの軸方向に垂直な側面視（図３（ｂ）における紙面垂直方向視）において、略２５度から３０度の範囲内の角度となるように尖った形状に形成され、予め遊技板５０に設けられる下穴５３の奥底面５３ａに接触する設定とされている。なお、先端側尖形部１１１ａの先端部分は、側面視において、略９０度以下の角度に設定されることが良く、略６０度以下の角度に設定されることが好ましく、略４０度以下の角度に設定されることが好適である。
【００３２】
ここで、下穴５３は、遊技板５０の前面５１から直径が略同一であって略円形の断面形状を有する形状を主体として形成されている。下穴５３の直径は、当接部１１４の外形よりも略１０％から略２０％の範囲内で小さく、且つ、先端部１１１（先端側尖形部１１１ａ及び先端側直線部１１１ｂ）の最大外径よりも僅かに小さく形成され、例えば、略１．５ｍｍに設定されている。下穴５３の深さは、遊技釘１００Ａの打込方向先端側の最先端から抜止部１１３が形成された打込方向後端側端部までの長さ（例えば、略９ｍｍ）より長く、且つ、遊技釘１００Ａが正規の位置に打ち込まれるまでの打込長さ（例えば、略１５ｍｍ）より、一定以上（例えば、略２ｍｍ以上）短い長さ（例えば、略１０ｍｍ）に設定されている。
【００３３】
下穴５３の奥底面５３ａは、中心部分が最も深い穴形状となるように断面視略三角形状をなす略円錐状に形成されている。また、下穴５３の連続する軸方向に沿った中心軸に対しての奥底面５３ａの傾斜角度は、遊技釘１００Ａの先端側尖形部１１１ａにおける中心軸に対しての傾斜角度より大きく設定されている。遊技板５０へ遊技釘１００Ａが打ち込まれた場合には、下穴５３の奥底面５３ａに対して遊技釘１００Ａの先端側尖形部１１１ａの先端が接触した後、下穴５３の奥底面５３ａの傾斜に沿って遊技釘１００Ａの先端が下穴５３の中央側に案内され易い。このため、下穴５３の中心軸に遊技釘１００Ａの中心軸が一致し易くなり、製造上の遊技釘１００Ａの打ち込み位置のバラツキを少なくすることができる。
【００３４】
先端側直線部１１１ｂは、遊技釘１００Ａの軸部１０１Ａの連続する方向に沿って外形部分が略直線的に連続する略円柱状に形成されている。先端側直線部１１１ｂは、遊技釘１００Ａが下穴５３の連続する方向に沿って軸部１０１Ａが平行に進入するように位置決めするための部位であり、遊技釘１００Ａの軸部１０１Ａにおける基準直径（遊技釘１００Ａの軸部１０１Ａにおいて表面が平滑な円柱状の部位の直径であり、当接部１１４の直径）の半分以上の長さに設定することが好ましく、当該直径以上の長さに設定することが好適である。また、先端側直線部１１１ｂは、次第に外形が僅かに大きくなる形状に設定することが好ましく、例えば、先端側直線部１１１ｂにおける打込方向先端側（先端側尖形部１１１ａに近い側）の端に比べて、打込方向後端側（螺旋部１１２に近い側）の端が略２％以上、外形が大きく設定されることが好ましく、略５％以上、外形が大きく設定されることが好適である。なお、先端側直線部１１１ｂは、必ずしも設ける必要はなく、先端側尖形部１１１ａに対して打込方向後端側に螺旋部１１２が連続する形状としても良い。また、先端部１１１の最大外径は、当接部１１４の外形よりも略５％から略１５％の範囲内で小さく、下穴５３の内径よりも僅かに大きく設定されるものであり、例えば、略１．７ｍｍに設定されている。
【００３５】
螺旋部１１２は、遊技釘１００Ａが遊技板５０に打ち込まれる場合に遊技釘１００Ａを回転させる部位であり、４条の螺旋状の突条部１１２ａがローレット加工により中心軸から離間する径方向側に突出して形成されたねじ状の外形形状に形成されている。遊技釘１００Ａが下穴５３に打ち込まれた場合には、突条部１１２ａの連続する方向に沿って遊技釘１００Ａが回転し、この回転によって遊技釘１００Ａが下穴５３の連続する方向に沿って真直に進行し易くなる。これにより、遊技釘１００Ａの打ち込み位置のバラツキを少なくすることができる。
【００３６】
突条部１１２ａは、図３（ｃ）に示すように、中心軸（図３（ｃ）の点Ｃ）に対して半径方向外側に向かって複数箇所において突出している。突条部１１２ａは、軸部１０１Ａの中心軸を中心とする周方向において複数箇所に離間して設けられている。突条部１１２ａの突出先端部分は、図３（ｂ）に示すように、軸部１０１Ａの軸方向に沿って中心軸を中心とした位置が周方向に異なる位置となるようにして連続し、突条部１１２ａが軸部１０１Ａの軸方向に沿って螺旋状に連続する形状とされている。螺旋部１１２において、突条部１１２ａの先端が位置する外径（最大外径）の大きさは、軸部１０１Ａの軸方向に沿って略同一に設定され、先端部１１１に比べて大きな外径に設定されている。
【００３７】
ここで、螺旋部１１２の長さは、当接部１１４の直径と比較して、同一の長さ以上に設定することが好ましく、当該直径の２倍以上の長さに設定することが好適である。また、螺旋部１１２は、次第に外形が僅かに大きくなる形状に設定することが好ましく、例えば、螺旋部１１２における打込方向先端側（先端部１１１に近い側）の端に比べて、打込方向後端側（抜止部１１３に近い側）の端が略５％以上に外形が大きく設定されることが好ましく、略１０％以上に外形が大きく設定されることが好適である。この螺旋部１１２における外形の形状変化の程度は、先端側直線部１１１ｂにおける外形の形状変化よりも大きな割合に設定することが遊技釘１００Ａの打ち込み位置のバラツキを少なくする上で好ましい。なお、螺旋部１１２は、必ずしも設ける必要はなく、先端部１１１に対して抜止部１１３が連続する形状としても良い。
【００３８】
また、螺旋部１１２の突条部１１２ａにおける突出先端側部分の幅Ｌａは、当接部１１４の直径に対しては略５分の１の長さに設定されている。この突条部１１２ａの幅Ｌａは、当接部１１４の直径に対して略１０分の１から略４分の１の範囲内に設定することが好ましい。また、螺旋部１１２において突条部１１２ａが連続する方向は、軸部１０１Ａの側面視（図３（ｂ）における紙面垂直方向視）において、軸部１０１Ａの中心軸線に対して、例えば略４５度傾いた角度（傾斜角度Ｒａ）に設定されるものであり、傾斜角度Ｒａは、軸部１０１Ａの中心軸線に対して略２５度から略６０度の範囲内の角度に設定されることが好ましい。
【００３９】
抜止部１１３は、螺旋部１１２に対して打込方向後端側に設けられ、螺旋部１１２の後に遊技板５０内に進入し、遊技釘１００Ａの抜け方向側への移動を阻止する部位である。抜止部１１３は、軸部１０１Ａの軸方向に沿って２箇所に離間して設けられ、それぞれが軸部１０１Ａの中心軸を中心とする周方向に一定の断面形状を有し、その周方向に沿って環状に連続した形状をしている。
【００４０】
抜止部１１３のそれぞれは、軸部１０１Ａの外周側に略三角形状に突出し、側面視においては打込方向後端側（頭部１０２に近い側）の端部が軸部１０１Ａの中心軸に対して径方向に大きく突出している。抜止部１１３における頭部１０２に近い側の端部の断面形状（軸部１０１Ａの中心軸を通る平面による縦断面の形状）は、突出先端部分が直角より鋭く尖った鋭角に形成されている（図３（ｂ）の斜線部参照）。遊技釘１００Ａが遊技板５０に打ち込まれた後、抜止部１１３は、釘穴５２の内面に突き刺さるようにして引っ掛かり、遊技釘１００Ａの抜け方向への移動が阻止される。
【００４１】
当接部１１４は、図３（ａ）に示すように、軸部１０１Ａにおける頭部１０２に近い側の一定の区間に相当する部位であり、断面形状が円形で同一サイズの外周形状をした略円柱状の部位により構成されている。当接部１１４を一部分とする軸部１０１Ａの一部は、断面形状が一定に形成されており、その外径は、例えば、直径が略１．８５ｍｍとされ、螺旋部１１２及び抜止部１１３における最大外径より細く設定されている。ここで、螺旋部１１２及び抜止部１１３における最大外径とは、軸部１０１Ａの中心軸線から最も離れた突端部分を通過する仮想的な略円筒形状の直径に相当するものであり、各部分の最大部分における外径に相当し、例えば、螺旋部１１２の最大部分が１．９ｍｍ、抜止部１１３が１．９５ｍｍに設定されている。
【００４２】
なお、軸部１０１Ａのうち、当接部１１４と抜止部１１３との間であって、遊技板５０の前面５１に相当する位置（例えば、先端部１１１側の先端から略１３ｍｍの区間）を含む一部分は、当接部１１４よりショットピーニングや絞り加工等による加工硬化によって当接部１１４より硬質に構成することが好ましく、これにより、遊技釘１００Ａの折損に対しての寿命を長く確保し易くすることができる。
【００４３】
上記形状に構成された遊技釘１００Ａによれば、軸部１０１Ａには、所定の外径として当接部１１４より大きく突出した部位を形成する突条部分が螺旋状に連続する螺旋部１１２と、螺旋部１１２より頭部１０２側に離間した複数箇所に設けられた２つの抜止部１１３とが設けられている。このため、遊技釘１００Ａは、複数の抜止部１１３が下穴５３内に進行することにより、螺旋部１１２のみによる保持力より大きな保持力を確保し易くすることができる。
【００４４】
＜遊技釘１００Ｂ＞
次に、図４を参照して、遊技釘１００Ｂについて説明する。図４（ａ）は、遊技釘１００Ｂの側面図であり、図４（ｂ）は、図４（ａ）のＤ−Ｄ線における遊技釘１００Ｂの断面図である。図４（ｃ）は、遊技釘１００Ｂの取り付け態様を説明する図である。なお、図４（ｃ）では、遊技領域２１と発射通路３１との間に配列された複数の遊技釘１００Ａと、その近傍に取り付けられた遊技釘１００Ｂとの各々について、軸部１０１Ａ，１０１Ｂ（より詳細には１０１Ｂａ）における、各軸部の軸方向（長手方向）に対して垂直な断面を示している。
【００４５】
遊技釘１００Ｂは、軸部１０１Ｂの一部形状が軸部１０１Ａと異なる以外は、上述した遊技釘１００Ａと同様に構成される。つまり、軸部１０１Ｂの一端側であって遊技板５０の前面５１側に突出する先端側端部（突端部）には、遊技釘１００Ａと同様の頭部１０２が形成されている。また、軸部１０１Ｂは、遊技釘１００Ａと同様、先端部１１１と螺旋部１１２と抜止部１１３とを、頭部１０２とは反対側となる端部に備えている。遊技釘１００Ｂは、第１軸部１０１Ｂａの形状に応じた取り付け向きが設定されていること以外、図３（ａ）に示した遊技釘１００Ａと同様にして遊技板５０に取り付けられる。
【００４６】
遊技釘１００Ｂは、遊技釘１００Ａと同様に金属製であり、例えば、黄銅によって形成される。遊技釘１００Ｂは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｂの第１軸部１０１Ｂａは、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００４７】
また、軸部１０１Ｂは、頭部１０２に近い側に設定された第１軸部１０１Ｂａと、第１軸部１０１Ｂａと抜止部１１３との間に設定された第２軸部１０１Ｂｂとを備えている。第１軸部１０１Ｂａは、遊技釘１００Ｂを遊技板５０に打ち込んだ場合に、遊技板５０より前面側（すなわち、遊技板５０に挿入されない位置）であるとともに、当接部１１４を含む位置に設定される。つまり、遊技板５０とガラス板１１の間を流下する遊技球は、遊技釘１００Ｂの軸部１０１Ｂａにおける当接部１１４に当接する。
【００４８】
第１軸部１０１Ｂａおよび第２軸部１０１Ｂｂは、軸方向に対して垂直な断面の形状が異なっている。具体的に、第２軸部１０１Ｂｂにおける軸方向に対して垂直な断面が、遊技釘１００Ａの軸部１０１Ａと同様の円形状に形成されているのに対し、第１軸部１０１Ｂａにおける軸方向に対して垂直な断面は、図４（ｂ）に示すように、第２軸部１０１Ｂｂにおける軸方向に対して垂直な断面である円と略同一の円を半円にした円弧である円弧部１０１Ｂａ２と、当該円弧の両端を結ぶ直線部１０１Ｂａ１とからなる半円形状に形成されている。
【００４９】
第１軸部１０１Ｂａを有する遊技釘１００Ｂは、図２に示したように、遊技領域２１と発射通路３１との間を仕切る仕切り部（より詳細には、内レール２７の先に配列された複数の遊技釘１００Ａ）の近傍に取り付けられる。図４（ｃ）に示すように、遊技釘１００Ｂは、第１軸部１０１Ｂａにおける直線部１０１Ｂａ１が、円弧部１０１Ｂａ２に対して遊技盤２０（遊技板５０）の上側を向き、かつ、遊技領域２１と発射通路３１との間の仕切り部から離れるにつれて下降する傾斜となる向き（この例では、遊技盤２０における右下方向に延びるような向き）取り付けられる。
【００５０】
ここで、パチンコ機１０において、上記形状に構成された遊技釘１００Ｂに係る作用および効果を説明する。
【００５１】
遊技球が当接する部分の断面形状が円形である軸部を有する遊技釘（例えば、遊技釘１００Ａ）が、遊技領域２１と発射通路３１との間を仕切る仕切り部の近傍に取り付けられた場合、断面形状が円形である軸部の形状ゆえに、当該軸部の外周において遊技球と接触する上側の突端となる部分が、遊技機正面視における軸部の軸中心のほぼ真上となって、それにより、軸部と仕切り部との離間距離が遊技機正面視における下側に向けて次第に短くなって軸部と仕切り部との間の空間がポケットのようになって遊技球が嵌まり込んでしまうことがあった。
【００５２】
これに対し、本実施形態のパチンコ機１０によれば、当接部１１４を含む第１軸部１０１Ｂａの断面形状が半円である遊技釘１００Ｂを用い、かかる遊技釘１００Ｂを図４（ｃ）に示すように取り付けたことで、第１軸部１０１Ｂａの外周において遊技球と接触する上側の突端となる部分（より詳細には、第１軸部１０１Ｂａの断面の直線部１０１Ｂａ１における仕切り部に近い側の端部）が、遊技機正面視における軸部１０１Ｂの軸中心（第２軸部１０１Ｂｂの軸中心）のほぼ真上より仕切り部の側に位置する。これにより、遊技領域２１と発射通路３１との間の仕切り部（本実施形態では、配列された複数の遊技釘１００Ａ）における遊技領域２１側と、当接部１１４を含む第１軸部１０１Ｂａとの間に、上述のように遊技球が嵌まり込む形状の空間が形成され難い。これにより、遊技領域２１を流下する遊技球が、遊技領域２１と発射通路３１との間の仕切り部と遊技釘との間に嵌まり込み止まってしまうことを抑制できる。
【００５３】
また、図４（ｃ）に示すように、隣接して並ぶ遊技釘１００Ｂは、各第１軸部１０１Ｂａの直線部１０１Ｂａ１が、遊技領域２１と発射通路３１との間の仕切り部から離れるにつれて下降する傾斜面を形成するかのように取り付けられている。これにより、隣接する遊技釘１００Ｂの各第１軸部１０１Ｂａにおける直線部１０１Ｂａ１を含む面が、遊技領域２１と発射通路３１との間の仕切り部の近傍を流下する遊技球を当該仕切り部から離れる方向への移動を促進する経路として機能させることができる。よって、かかる点においても、遊技領域２１と発射通路３１との間の仕切り部と遊技釘との間に遊技球が嵌まり込む事象を好適に抑制できる。
【００５４】
また、遊技釘１００Ｂが図４（ｃ）に示すように並ぶ構成において、遊技球は直線部１０１Ｂａ１を含む面に接触して跳ね上がりながら仕切り部から離れる方向へと誘導される。このとき、遊技球の跳ね上がり方向は、主に、直線部１０１Ｂａ１を含む面の向きに従うので、直線部１０１Ｂａ１を含む面の向きに応じて跳ね上がり方向を制御することが可能となる。
【００５５】
なお、遊技球を始動入賞口２５に誘導する複数の遊技釘（所謂、誘導釘）など、遊技球を所定方向に誘導するために連ねて配置された遊技釘の代替として、遊技釘１００Ｂを用いてもよい。つまり、複数の遊技釘１００Ｂを、第１軸部１０１Ｂａの直線部１０１Ｂａ１が、所定方向（例えば、始動入賞口２５に向かう方向）に下降傾斜面を形成するかのように並べて取り付けてもよい。この場合も、直線部１０１Ｂａ１を含む面の向きを制御することで、複数の遊技釘１００Ｂの配列によって所定方向に誘導される遊技球の跳ね上がり方向を制御することができる。よって、例えば、センター装飾部材２２の下部に、始動入賞口２５への入球が容易である箇所、または、始動入賞口２５への入球が困難である箇所のいずれかに遊技球を振り分ける振分部を設けた場合に、当該振分部に遊技球を飛び込ませることができるように直線部１０１Ｂａ１を含む面の向きを制御することで、複数の遊技釘１００Ｂの配列によって所定方向に誘導される遊技球の一部を当該振分部に飛び込ませることができ、それにより遊技の興趣を向上させることができる。
【００５６】
＜遊技釘１００Ｃ＞
次に、図５を参照して、遊技釘１００Ｃについて説明する。図５（ａ）は、遊技釘１００Ｃの側面図であり、図５（ｂ）は、図５（ａ）のＥ−Ｅ線における遊技釘１００Ｃの断面図である。
【００５７】
遊技釘１００Ｃは、軸部１０１Ｃの一部形状が軸部１０１Ａと異なる以外は、上述した遊技釘１００Ａと同様に構成される。つまり、軸部１０１Ｃの一端側であって遊技板５０の前面５１側に突出する先端側端部（突端部）には、遊技釘１００Ａと同様の頭部１０２が形成されている。また、軸部１０１Ｃは、遊技釘１００Ａと同様、先端部１１１と螺旋部１１２と抜止部１１３とを、頭部１０２とは反対側となる端部に備えている。遊技釘１００Ｃは、第１軸部１０１Ｃａの形状に応じた取り付け向きが設定されていること以外、図３（ａ）に示した遊技釘１００Ａと同様にして遊技板５０に取り付けられる。
【００５８】
遊技釘１００Ｃは、遊技釘１００Ａと同様に金属製であり、例えば、黄銅によって形成される。遊技釘１００Ｃは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｃの第１軸部１０１Ｃａは、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００５９】
また、軸部１０１Ｃは、頭部１０２に近い側に設定された第１軸部１０１Ｃａと、第１軸部１０１Ｃａと抜止部１１３との間に設定された第２軸部１０１Ｃｂとを備えている。第１軸部１０１Ｃａは、遊技釘１００Ｃを遊技板５０に打ち込んだ場合に、遊技板５０より前面側（すなわち、遊技板５０に挿入されない位置）であるとともに、当接部１１４を含む位置に設定される。つまり、遊技板５０とガラス板１１の間を流下する遊技球は、遊技釘１００Ｃの軸部１０１Ｃａにおける当接部１１４に当接する。
【００６０】
第１軸部１０１Ｃａおよび第２軸部１０１Ｃｂは、軸方向に対して垂直な断面の形状が異なっている。具体的に、第２軸部１０１Ｃｂにおける軸方向に対して垂直な断面が、遊技釘１００Ａの軸部１０１Ａと同様の円形状に形成されているのに対し、第１軸部１０１Ｃａにおける軸方向に対して垂直な断面は、図５（ｂ）に示すように、第２軸部１０１Ｃｂにおける軸方向に対して垂直な断面である円と略同一の円における半円より小さな部分の円弧と、当該円弧の両端１０１Ｃａ２，１０１Ｃａ３からそれぞれ延び、第２軸部１０１Ｃｂにおける軸方向に対して垂直な断面である円上での交点（頂点１０１Ｃａ１）で交わる各直線とで囲まれる形状にされている。
【００６１】
第１軸部１０１Ｃａを有する遊技釘１００Ｃは、図２に示したように、遊技領域２１における発射通路３１の出口近傍に取り付けられる。このとき、遊技釘１００Ｃは、第１軸部１０１Ｃａにおける頂点１０１Ｃａ１が、遊技盤２０（遊技板５０）の上側を向くような向きに取り付けられる。
【００６２】
ここで、パチンコ機１０において、上記形状に構成された遊技釘１００Ｃに係る作用および効果を説明する。
【００６３】
パチンコ機１０に対しては、糸を取り付けた遊技球を遊技領域内に発射させることによって不正行為が行われる可能性がある。
【００６４】
これに対し、本実施形態のパチンコ機１０によれば、発射通路３１の出口近傍に取り付けた遊技釘１００Ｃが、第１軸部１０１Ｃａにおける頂点１０１Ｃａ１が上側を向くような向きで取り付けられているので、糸を取り付けた遊技球が発射された場合、当該遊技球は、糸が遊技釘１００Ｃの頂点１０１Ｃａ１を跨いで、頂点１０１Ｃａ１を支点とした状態でぶら下がり易い。
【００６５】
このような状態で糸を引っ張ったり緩めたりした場合には、糸は頂点１０１Ｃａ１の角部によって摩擦されるので、遊技球に取り付けられた糸を角部との摩擦によって切れ易くすることができる。特に、図５（ｂ）に示すように、第１軸部１０１Ｃａにおける軸方向に対して垂直な断面は、頂点１０１Ｃａ１の角度が鋭角とされているので、遊技球に取り付けられた糸を切る効果が好適に向上する。
【００６６】
また、遊技釘１００Ｃは、第１軸部１０１Ｃａの断面形状が単純な円形状でないので、遊技球は、その接触位置（衝突位置）に応じて特徴的に跳ね返ることになる。よって、遊技釘１００Ｃにより跳ね返る遊技球の挙動に対する興趣を向上させることができる。特に、本実施形態では、当接部１１４を含む第１軸部１０１Ｃａの断面形状が頂点１０１Ｃａ１にて折れ曲がった角部を有する形状に構成された遊技釘１００Ｃが、当該角部が遊技盤２０の上側を向くような向きで、発射通路３１の出口近傍に取り付けられているので、発射通路３１から遊技領域２１に進入した遊技球について、遊技釘１００Ｃによる跳ね返り挙動を複雑化することができる。よって、発射通路３１から遊技領域２１に進入した遊技球の挙動を遊技者に楽しませることが可能となる。
【００６７】
＜釘ユニット２００＞
次に、図６を参照して、遊技釘１００Ｄを含む釘ユニット２００について説明する。図６（ａ）は、連結部２０１の長手方向を見る向きから見た釘ユニット２００の側面図である。図６（ｂ）は、図６（ａ）における矢印Ｇ方向に見た遊技釘１００Ｄの側面図であり、図６（ｃ）は、図６（ａ）のＦ−Ｆ線における遊技釘１００Ｄの断面図である。図６（ｄ）は、図６（ａ）における矢印Ｈ方向に見た連結部２０１の側面図である。なお、図６（ａ）には、釘ユニット２００を遊技板５０に取り付けた場合における当該遊技板５０の前面５１を二点鎖線で示している。
【００６８】
図６（ａ）に示すように、釘ユニット２００は、２本の遊技釘１００Ｄを連結部２０１により連結したユニットとして構成される。連結部２０１には、２本の遊技釘１００Ｄの間となる位置に、遊技釘１００Ｄの軸方向に沿って細長く延びる棒状の突出部２０１ａが形成されている。なお、１の釘ユニット２００に含まれる突出部２０１ａの数は、図６（ａ）に示した５つであることに限らず、釘ユニット２００を構成する両端の遊技釘１００Ｄ間の距離に応じた１以上の適宜の数とされる。
【００６９】
突出部２０１ａを有する釘ユニット２００は、連ねて配置される（配列された）複数の遊技釘、例えば、図２に示すように、遊技球を始動入賞口２５に誘導する複数の遊技釘（所謂、誘導釘）に代えて取り付けることができる。つまり、突出部２０１ａは、連ねて配置される遊技釘の一部を代替する部材として利用できる。よって、両端となる２本の遊技釘１００Ｄの間に適宜の数の突出部２０１ａを設けることで、誘導釘など、連ねて配置される遊技釘の代替となり得る種々のサイズの釘ユニット２００を準備することができる。
【００７０】
また、釘ユニット２００が必ずしも突出部２０１ａを含む必要はなく、連結部２０１に突出部２０１ａが形成されていないものであってもよい。例えば、本実施形態では、図２に示すように、上側の始動入賞口２５の上方に当該入賞口２５の入口として機能する一対の遊技釘（所謂、命釘）を釘ユニット２００の形態で取り付けており、かかる一対の遊技釘に対応する釘ユニット２００の連結部２０１には突出部２０１ａが形成されていない。
【００７１】
釘ユニット２００を構成する遊技釘１００Ｄは、軸部１０１Ｄに溝部１５５が形成されていること以外は、上述した遊技釘１００Ａと同様に構成される。つまり、軸部１０１Ｄの一端側であって遊技板５０の前面５１側に突出する先端側端部（突端部）には、遊技釘１００Ａと同様の頭部１０２が形成されている。また、軸部１０１Ｄは、遊技釘１００Ａと同様、先端部１１１と螺旋部１１２と抜止部１１３とを、頭部１０２とは反対側となる端部に備えている。遊技釘１００Ｄは、連結部２０１の長手方向と、溝部１１５．１１６が延びる方向とを一致させるように取り付け向きが設定されていること以外、図３（ａ）に示した遊技釘１００Ａと同様にして遊技板５０に取り付けられる。
【００７２】
遊技釘１００Ｄは、遊技釘１００Ａと同様に金属製であり、例えば、黄銅によって形成される。遊技釘１００Ｄは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｄの軸部１０１Ｄにおける溝部１１５，１１６は、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００７３】
また、軸部１０１Ｄには、当接部１１４より先端部１１１側であり、かつ、遊技釘１００Ｄが遊技板５０に打ち込まれた場合に前面５１より前方側の位置に溝部１１５，１１６が形成されている。溝部１１５は、図６（ａ）および図６（ｂ）に示すように、連結部２０１が延びる方向（図６（ａ）における左右方向であり、図６（ａ）における紙面垂直方向）に軸部１０１Ｄを切り欠いて形成された溝である。一方、溝部１１６は、軸部１０１の軸方向に対して溝部１１５の裏側となる位置に、連結部２０１が延びる方向（長手方向）に軸部１０１Ｄを切り欠いて形成された、溝部１１５と対をなす溝である。
【００７４】
遊技釘１００Ｄの軸部１０１Ｄにおいて、一対の溝部１１５，１１６が形成された部分は、図６（ｃ）に示すように、溝部１１５，１１６が形成されていない部分に比べて、軸方向に垂直な断面が溝部１１５，１１６の深さの分だけ薄くなっているので、折曲や折損などの破損を生じ易い。特に、略同方向に延びる一対の溝部１１５，１１６が形成されたことで、軸部１０１Ｄは、特定方向の負荷に対して方向性をもって、すなわち、軸部１０１Ｄに対して垂直であり、溝部１１５，１１６に対して垂直な方向の負荷に対して、その負荷の方向に破損し易い。
【００７５】
また、本実施形態では、溝部１１５，１１６の形成位置が、釘ユニット２００を遊技板５０に取り付けた場合に、遊技板５０の前面５１より前方であって、頭部１０２より前面５１に近い位置となるよう設定されている。このように、釘ユニット２００を遊技板５０に取り付けた場合における溝部１１５，１１６位置を、頭部１０２より前面５１に近い位置とすることで、頭部１０２に不正に力を加えて遊技釘を曲げようとした場合に、力を加えられる位置（つまり力点）に対し、溝部１１５，１１６が、支点となる遊技板５０の前面５１に比較的近い位置となるため、溝部１１５，１１６に負荷がかかり易く、軸部１０１Ｄを溝部１１５，１１６において破損させ易い。
【００７６】
特に、釘ユニット２００を遊技板５０に取り付けた場合における溝部１１５，１１６の位置を、遊技板５０の前面５１から前方側に所定長さ（例えば、５ミリ程度）の位置とすることで、軸部１０１Ｄが溝部１１５，１１６おいて折損した場合であっても、遊技釘１００Ｄは遊技板５０の前面５１から所定長さだけ出た状態で残されるので、遊技釘１００Ｄを遊技板５０から取り外す作業を行い易い。
【００７７】
釘ユニット２００を構成する連結部２０１は、金属製であり、例えば、黄銅によって形成される。連結部２０１は、切削加工や成型加工などによって、所望の形状に形成される。連結部２０１には、図６（ｄ）に示すように、その長手方向の両端に、遊技釘１００Ｄを嵌め込み固定するための凹部２０１ｂが形成されている。よって、釘ユニット２００は、２本の遊技釘１００Ｄをそれぞれ連結部２０１の凹部２０１ｂに嵌め込み固定することで作成される。
【００７８】
凹部２０１ｂは、遊技釘１００Ｄを導入する入口となる開口部２０１ｂ１と、開口部２０１ｂ１に連設される嵌め込み部２０１ｂ２とから構成される。開口部２０１ｂ１は、遊技釘１００Ｄを導入可能な広さに構成され、その広さは嵌め込み部２０１ｂ２に近づくにつれて狭くなっている。
【００７９】
一方、嵌め込み部２０１ｂ２は、遊技釘１００Ｄの、当該嵌め込み部２０１ｂ２に嵌め込まれる部分（本実施形態では、軸部１０１Ｄにおける頭部１０２に近い側の端部）の外径と同程度の内径を有し、開口部２０１ｂ１から進入した遊技釘１００Ｄを受け入れ可能な程度に開口された半円以上の円弧として形成される。よって、嵌め込み部２０１ｂ２に嵌め込まれた遊技釘１００Ｄは、当該嵌め込み部２０１ｂ２に外れ難い状態で固定される。
【００８０】
上述したように、連結部２０１には、２本の遊技釘１００Ｄの間となる位置に、すなわち、両側に形成された凹部２０１ｂの間に、１以上の突出部２０１ａが必要に応じて形成される。突出部２０１ａは、その断面が、軸部１０１Ｄの断面と同程度の直径の円形で、略同一サイズの外周形状をした略円柱状の棒状体として構成される。
【００８１】
突出部２０１ａの長さは、図６（ａ）に示すように、釘ユニット２００を遊技板５０に取り付けた場合に、突出部２０１ａの先端が、遊技板５０の前面５１に接しない程度（例えば、前面５１から前方側に数ミリ程度浮く程度）の長さに設定されている。つまり、両端の遊技釘１００Ｄによって釘ユニット２００が遊技板５０に取り付けられた場合、突出部２０１ａと前面５１との間には若干の隙間が形成される。
【００８２】
ここで、パチンコ機１０において、上記構成の釘ユニット２００に係る作用および効果を説明する。
【００８３】
パチンコ機１００においては、遊技板５０に取り付けられている多数の遊技釘の一部が、釘ユニット２００の形態で取り付けられているので、釘ユニット２００を構成する２本の遊技釘１００Ｄにおける曲げ方向の自由度が、それらの遊技釘１００Ｄを連結する連結部２０１の存在によって規制される。よって、釘ユニット２００については、遊技釘１００Ｄを不正に曲げることが難しくなるため、不正行為を抑制できる。
【００８４】
また、始動入賞口２５の上方に設ける一対の遊技釘を釘ユニット２００の形態で取り付けることで、一対の遊技釘の間隔が連結部２０１によって固定されるので、始動入賞口２５への入球（進入）が容易となるよう一対の遊技釘の間隔を広げることが困難となる。よって、一対の遊技釘の間隔を広げる不正行為を抑制できる。同様に、一対の遊技釘の間隔を狭める（閉める）ことも困難となる。
【００８５】
釘ユニット２００には、遊技板５０に取り付けた場合に、その先端が前面５１から若干離れた（浮いた）状態となる突出部２０１ａが、両端となる２本の遊技釘１００Ｄの間に形成されている。よって、突出部２０１ａは、釘ユニット２００を遊技板５０に取り付けた状態において撓ませることが可能である。
【００８６】
そのため、突出部２０１ａが形成された釘ユニット２００を、例えば、図２に示したように、遊技球を始動入賞口２５に誘導する複数の遊技釘（所謂、誘導釘）に代えて用いた場合、連結部２０１に沿って誘導される遊技球が接触（衝突）したことで突出部２０１ａに撓みが生じる。かかる突出部２０１ａの撓みによって、釘ユニット２００上を連結部２０１に沿って誘導される遊技球を弾み易くすることができる。
【００８７】
よって、例えば、センター装飾部材２２の下部に、始動入賞口２５への入球が容易である箇所、または、始動入賞口２５への入球が困難である箇所のいずれかに遊技球を振り分ける振分部を設けた場合に、釘ユニット２００により始動入賞口２５へと誘導される遊技球の一部を当該振分部に飛び込ませることができ、それにより遊技の興趣を向上させることができる。
【００８８】
また、釘ユニット２００では、溝部１１５が延びる方向と連結部２０１の長手方向とが一致するように、遊技釘１００Ｄが取り付けられているので、溝部１１５，１１６が破損した場合には、釘ユニット２００の見た目が大きく変わることになる。よって、遊技釘１００Ｄなどに負荷をかけることで曲げる不正行為を、見た目の変化によって早期に発見でできる。また、このように不正行為が発見され易くなったことで、当該不正の実施が抑制される。
【００８９】
＜第２実施形態＞
次に、図７を主に参照して、第２実施形態について説明する。上述した第１実施形態に係るパチンコ機１０では、始動入賞口２５やスルーゲート２８などの入球口の上方に、当該入球口の入口として機能する複数本の遊技釘が遊技板５０に打ち込まれている。例えば、始動入賞口２５の上方には、始動入賞口２５の入口として機能する２本の遊技釘１００Ｄ（釘ユニット２００の一部）が打ち込まれている。
【００９０】
これに対し、第２実施形態に係るパチンコ機１０では、入球口の入口として機能する複数本の遊技釘の一部が、遊技板５０に打ち込まれることなく、入球口が形成された入球装置に一体化されている。なお、以下の説明において、第１実施形態における構成と同一の構成については同一の符号を付して説明を省略し、第１実施形態と異なる部分を説明する。
【００９１】
図７（ａ）は、第１の取り付け態様で取り付けられた、入球装置の１つである一般入賞装置３３４の正面図であり、図７（ｂ）は、第２の取り付け態様で取り付けられた一般入賞装置３３４の正面図である。
【００９２】
なお、図７（ａ）および図７（ｂ）には、一般入賞装置３３４に設けられているピン４０１と共に、一般入賞装置３３４における入球口である一般入賞口３２４の入口として機能する、一般入賞装置３３４の近傍に設けられた３本の遊技釘Ｑ１〜Ｑ３を合わせて図示している。遊技釘Ｑ１〜Ｑ３は、例えば、上述した遊技釘１００Ａである。なお、遊技釘Ｑ１〜Ｑ３は、遊技釘１００Ａに限らず、遊技釘１００Ｂ〜１００Ｄのいずれであってもよい。また、遊技釘Ｑ１〜Ｑ３が全て同じ形状の遊技釘でなくてもよい。
【００９３】
一般入賞口３２４は、第１実施形態の一般入賞口２４と同様に機能する入賞口であり、遊技球が入球（通過）したことで、その特典として賞球が払い出される。一般入賞装置３３４は、一般入賞口３２４が形成された入賞装置である。一般入賞装置３３４は、上側に一般入賞口２４が形成された本体３２４ａと、本体３２４ａの背面側に連設される台板３３４ｂとを備えている。本体３２４ａの内部には、一般入賞口３２４に連設されて一般入賞口３２４に入球した（一般入賞口３２４を通過した）遊技球を遊技板５０の背面側に形成される排出経路に送り出すための通路が形成されている。台板３３４ｂにおける一般入賞口３２４の入口側は、遊技球が一般入賞口３２４にスムーズに進入できるよう、台板３３４ｂの外縁側から一般入賞口３２４に向けてスロープ状に形成されている。
【００９４】
台板３３４ｂには、一般入賞装置３３４を遊技板５０に取り付けるためのビス３０１，３０２を挿通させるための挿通口が２箇所に形成されている。より詳細には、一般入賞口３２４を遊技機正面視におけるほぼ真上に向けた状態（すなわち、図７（ａ）に示す状態）において、当該一般入賞口３２４の中心を通る上下方向の軸の左側の上部には、ビス３０１を挿通するための第１の挿通口が形成されている。一方、同状態において、当該一般入賞口３２４の中心を通る上下方向の軸の右側の下部には、ビス３０２を挿通するための第２の挿通口が形成されている。
【００９５】
遊技板５０には、台板３３４ｂの第１の挿通口に通されたビス３０１を固定するための止め穴５４が形成されている。一方、遊技板５０には、台板３３４ｂの第２の挿通口に通されたビス３０２を固定するための止め穴として、２箇所の止め穴５５，５６が準備されている。
【００９６】
よって、第２の挿通口に通されたビス３０２の固定先が止め穴５５であるか、止め穴５６であるかに応じて、一般入賞装置３３４の取り付け向きを変化させることができる。つまり、第２の挿通口に通されたビス３０２を止め穴５５にて固定した場合、一般入賞装置３３４は、図７（ａ）に示すように、一般入賞口３２４が遊技機正面視におけるほぼ真上を向くように取り付けられる。
【００９７】
その一方で、第２の挿通口に通されたビス３０２を止め穴５６にて固定した場合、一般入賞装置３３４は、図７（ａ）に示す状態から止め穴５４を中心として時計回りに回転された状態で取り付けられる。よって、止め穴５６を用いて取り付けられた一般入賞装置３３４は、図７（ｂ）に示すように、一般入賞口３２４が遊技機正面視における右上を向くように取り付けられる。
【００９８】
製造時には、止め穴５５または止め穴５６のうち一方の止め穴に第２の挿通口に通したビス３０２をねじ止めすることで、一般入賞装置３３４を遊技板５０に取り付ける。このとき、使用しなかった他方の止め穴は樹脂を流し込むことで埋める。このように、第２の挿通口に通されたビス３０１の固定先として止め穴５５または止め穴５６を選ぶことで、一般入賞口３２４の開口向きが異なる遊技機を製造することができる。
【００９９】
なお、止め穴５５または止め穴５６のうち、一般入賞装置３３４の取り付けに利用しなかった止め穴は、仮止め部材を用いて仮止めさせる構成であってもよいし、そのまま開放させた状態としてもよい。
【０１００】
台板３３４ｂにおける一般入賞口３２４の右上となる位置には、ピン４０１が立設されている。ピン４０１は、上述した遊技釘１００Ａにおける抜止部１１３より頭部１０２側の部分と同様の形状に構成される。つまり、ピン４０１は、断面形状が円形の一定形状に細長く形成された軸部と、当該軸部の一端側にて軸部より太く形成された頭部とを有する。ピン４０１は、軸部における頭部とは反対側となる端部が台板３３４ｂに固定されている。
【０１０１】
上述のように、止め穴５５または止め穴５６のいずれを使うかに応じて、一般入賞装置３３４の取り付け向きを変化させることができる。これにより、遊技釘Ｑ１〜Ｑ３に対するピン４０１の相対位置が変化する。例えば、止め穴５６を用いて一般入賞装置３３４を取り付けた場合（図７（ｂ））には、止め穴５５を用いた場合（図７（ａ））に比べて、遊技釘Ｑ１とピン４０１との距離が広くなる。遊技釘Ｑ１とピン４０１との距離が広くなったことで、その分、遊技球は一般入賞口３２４に入球し易くなる。
【０１０２】
止め穴５５を用いて一般入賞装置３３４を取り付けた場合には、遊技釘Ｑ２，Ｑ３の配置によって、左上側から流下する遊技球を遊技釘Ｑ１と遊技釘Ｑ２との間から一般入賞口３２４に案内する経路しか存在しなかった。これに対し、止め穴５６を用いて一般入賞装置３３４を取り付けた場合には、止め穴５５を用いた場合に比べて、遊技釘Ｑ３とピン４０１との距離が広くなり、それにより、遊技釘Ｑ１と遊技釘Ｑ２との間だけでなく、遊技釘Ｑ３とピン４０１との間も、右上側から流下する遊技球を一般入賞口３２４に案内する経路となり得る。よって、一般入賞口３２４への入口となる箇所が２箇所に増えるので、その点においても、遊技球は一般入賞口３２４に入球し易くなる。
【０１０３】
ここで、上述した第２実施形態の一般入賞装置３３４が取り付けられたパチンコ機に係る作用及び効果を説明する。
【０１０４】
上述したように、一般入賞装置３３４は、第２の挿通口に通されたビス３０２の固定先として、止め穴５５を用いるか止め穴５６を用いるかに応じて、一般入賞口３２４への入球し易さを変化させることができる。また、図７（ａ）および図７（ｂ）に示すように、一般入賞装置３３４の取り付け向きが変化したことで、一般入賞口３２４に入賞させるために遊技球を打ち込む方向にも変化をもたらすことが可能となる。このように、第２実施形態によれば、止め穴５５，５６のうち第２の挿通口に通されたビス３０２の固定先にする止め穴を製造時に選択することで、一般入賞装置３３４の取り付け態様が異なるパチンコ機１０を製造することができる。よって、２種類の異なる遊技性とした２種類の異なる遊技機を簡易的に製造することができる。
【０１０５】
また、ピン４０１は、細長く形成された軸部の一端が台板３３４ｂに固定されているので、その取り付け強度は比較的弱い。よって、ピン４０１は、ピン４０１を曲げるために不正な負荷がかけられた場合に台板３３４ｂから脱落し易い。ピン４０１は、台板３３４ｂに固定されることで一般入賞装置３３４に一体化された部材であるので、ピン４０１が脱落した場合には、一般入賞装置３３４の見た目に変化が生じる。一般入賞装置３３４のように、遊技球が通過したことで賞球などの特典を付与する入球口（例えば、一般入賞口３２４）を有する装置は、目立ち易いために見た目の変化に対して敏感となる。よって、一般入賞口３２４への遊技球の入球（進入）を有利にするべくピン４０１に対して行われた不正行為を、一般入賞装置３３４の見た目の変化によって早期に発見できる。また、一般入賞口３２４への遊技球の入球を有利にするための不正行為が発見され易くなったことで、当該不正の実施が抑制される。
【０１０６】
なお、ピン４０１に対する不正が行い難くなった場合であっても、遊技釘Ｑ１など、ピン４０１と共に一般入賞口３２４の入口として機能する他の遊技釘を曲げることで一般入賞口３２４への遊技球の入球を有利にすることは可能であるが、ピン４０１を曲げることが難しいために、遊技釘Ｑ１など、他の遊技釘を大きく曲げる必要が生じる。しかしながら、遊技釘が大きく曲げられたことで、遊技釘が曲げられたことを発見し易くなり、その点においても、一般入賞口３２４への遊技球の入球を有利にするための不正行為を発見し易い。
【０１０７】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０１０８】
（１）上記各実施形態では、遊技釘１００Ａ〜１００Ｄ、および、釘ユニット２００を構成する連結部２０１の製造方法として、圧造加工および切削加工を主に例示したが、成型加工によって形成してもよい。また、上記各実施形態では、遊技釘１００Ｄと連結部２０１と別々に形成した後に組み立てる構成としたが、遊技釘１００Ｄと連結部２０１とが一体化された釘ユニット２００を成型加工などによって形成してもよい。
【０１０９】
（２）螺旋部１１２、抜止部１１３の変形例
上記各実施形態では、遊技釘１００Ａ〜１００Ｄは、遊技板５０に対しての保持力を確保するための部分として、螺旋部１１２および抜止部１１３を備える構成としたが、螺旋部１１２または抜止部１１３の一方だけを備える構成であってもよい。また、遊技釘１００Ａ〜１００Ｄが、螺旋部１１２または抜止部１１３のいずれも備えていない構成であってもよい。
【０１１０】
上記各実施形態では、抜止部１１３として、図３（ｂ）に示す形状を採用したが、遊技板５０内に進入して遊技釘１００Ａ〜１００Ｄの抜け方向側への移動を阻止可能な形状であれば適宜の形状を採用できる。例えば、抜止部１１３のような周方向側において一定の形状が連続するものでなく、周方向側に離間した複数の棘状の突起部を抜止部としてもよい。
【０１１１】
（３）上記各実施形態では、遊技領域２１と発射通路３１との仕切り部を、配列された複数の遊技釘１００Ａによって形成する構成としたが、当該仕切り部を、遊技領域２１または発射通路３１の側が起伏形状を有する面に形成された板部材から構成してもよい。
【０１１２】
また、遊技領域２１と発射通路３１との仕切り部を、直線部１０１Ｂａ１を含む面を遊技領域２１または発射通路３１の側を向けて配列させた複数の遊技釘１００Ｂから形成する構成であってもよい。特に、直線部１０１Ｂａ１を含む面を発射通路３１の側を向けて配列させた場合には、発射通路３１の側の起伏が少なくなるので、発射装置から発射された遊技球を好適にガイドして遊技領域２１へと進入させることが可能となる。
【０１１３】
（４）発射通路３１の出口近傍に取り付ける遊技釘の変形例
上記各実施形態では、発射通路３１の出口近傍に、遊技釘１００Ｃを、第１軸部１０１Ｃａにおける頂点１０１Ｃａ１が上側を向くような向きで取り付けることで、糸を取り付けた遊技球を用いる不正行為を抑制する構成とした。
【０１１４】
当該不正行為を抑制する目的で発射通路３１の出口近傍に取り付ける遊技釘として、軸方向に対して略垂直など角度を持って延び、開口から軸内部に向けてＶ字などの先細りする溝部が当接部に形成されている遊技釘を用いる構成としてもよい。かかる遊技釘が、例えば、溝部の開口が上方（例えば、発射通路３１とは反対側のやや上向き）を向くように発射通路３１の出口近傍に取り付けた場合、糸が取り付けられた遊技球は、糸が溝部の奥に入り込んだ状態で当該遊技釘にぶら下がり易い。そして、溝部の底はＶ字などの先細りの形状に構成されているので、溝部に入り込んだ糸は、糸を動かすにつれて溝部の底まで入り込んでいく。かかる状態で糸を引っ張ったり緩めたりした場合、糸が溝部の側壁と底部によって摩擦され、当該糸をやがて切断することが可能となる。かかる溝部は、軸方向における断面において開口側から底に向けて曲線を描いていることが好ましい。例えば、溝部の開口が発射通路３１とは反対側のやや上向きを向くように遊技釘を取り付けた状態において、軸方向における溝部の断面が、開口部分から上方に緩くカーブした曲線を描いている場合には、溝部に入り込んだ糸が、糸の操作よって取り外されることを困難にすることができる。
【０１１５】
（５）上記各実施形態では、遊技釘１００Ｂ，１００Ｃとして、軸部１０１Ｂ，１０１Ｃの一部の断面形状が非円形状である場合について例示した。具体的に、軸部１０１Ｂの一部（第１軸部１０１Ｂａ）の断面形状が、直線部１０１Ｂａ１と円弧部１０１Ｂａ２とからなる半円形状である遊技釘１００Ｂと、軸部１０１Ｃの一部（第１軸部１０１Ｃａ）の断面形状が、半円以下の円弧と、当該両端１０１Ｃａ２，１０１Ｃａ３からそれぞれ延びる直線とからなる形状である遊技釘１００Ｃとを例示した。
【０１１６】
軸部の断面形状としては、上記以外の非円形状であってもよい。例えば、軸部が、当該軸部の断面（つまり、軸部の軸方向に対して垂直な断面）が第１の曲率の円弧に形成された第１の外面と、該第１の外面に接続された、前記断面が第１の曲率より小さな第２の曲率の円弧、直線、または少なくとも１の折れ曲がった角部を有する形に形成された第２の外面とを有する構成としてもよい。当接部を含む軸部の断面形状が非円形状であることで、当該軸部に接触する遊技球が、その接触方向に応じて特徴的に跳ね返ることになるため、遊技釘により跳ね返る遊技球の挙動に対する興趣を向上させることができる。
【０１１７】
例えば、遊技釘１００Ｂの第１軸部１０１Ｂａのように、その断面形状が、直線部１０１Ｂａ１と、半円の円弧部１０１Ｂａ２との組み合わせである構成に限らず、半円より小さいまたは大きな円弧部と、当該円弧部の両端を結ぶ直線や、当該円弧部より曲率の小さな円弧とを組み合わせた構成であってもよい。
【０１１８】
このとき、遊技釘１００Ｂの軸部１０１Ｂにおける直線部１０１Ｂａ１を含む面が、断面において直線に近い円弧（すなわち、円弧部１０１Ｂａ２より曲率が小さい円弧）である面に置換された遊技釘を、遊技領域２１と発射通路３１との間を仕切る仕切り部の近傍に取り付けられる遊技釘として採用してもよい。
【０１１９】
また、遊技釘１００Ｃの第１軸部１０１Ｃａのように、その断面形状が、円弧の両端１０１Ｃａ２，１０１Ｃａ３からそれぞれ延びる直線によって１の折れ曲がった角部を有する構成に限らず、円弧の一端１０１Ｃａ２から他端１０１Ｃａ３までの間に、２以上の折れ曲がった角部を有する構成としてもよい。また、第１軸部１０１Ｃａのように、その断面形状における円弧部分が、半円以下の円弧であることに限らず、半円以上の円弧であってもよい。つまり、断面形状に含まれる折れ曲がった角部は、鋭角に限らず鈍角であってもよい。
【０１２０】
（６）釘ユニット２００の変形例
上記各実施形態では、釘ユニット２００が、２本の遊技釘１００Ｄを連結部２０１により連結したものとして説明したが、釘ユニット２００を構成する遊技釘１００Ｄは２本に限定されない。つまり、３本以上の遊技釘１００Ｄが連結部によって連結される構成であってもよい。３本以上の遊技釘１００Ｄが連結部に連結される場合にも、２本の遊技釘１００Ｄの間に突出部２０１ａと同様の突出部が形成されていてもよい。
【０１２１】
上記各実施形態では、釘ユニット２００では、軸部１０１Ｄの軸方向に対して直交する向きに形成された溝部１１５，１１６を有する遊技釘１００Ｄが、溝部１１５，１１６の延びる方向と連結部２０１の長手方向とが一致するように取り付けられる構成としたが、遊技釘１００Ｄが、溝部１１５，１１６の延びる方向が連結部２０１の長手方向に対して略直交するように取り付けられる構成であってもよい。かかる構成によれば、連結部２０１の長手方向に対して直交する向きに対する強度を高めることができる。よって、始動入賞口２５の上方に取り付けられた釘ユニット２００のように、連結部により連結された２本の遊技釘の間を遊技球が通過する釘ユニットにおいて、釘ユニットを構成する遊技釘が、遊技釘間を通過する遊技球によって破損することを抑制できる。
【０１２２】
その一方で、当該変形例の構成によれば、連結部２０１の長手方向に沿った向きに対する強度が低くなるので、連結部により連結された遊技釘の間隔を広げる負荷によって遊技釘が破損し易くなる。従来から、遊技球が通過したことで賞球や抽選などの特典を付与する入球口（例えば、始動入賞口２５）などの上方に取り付けられる一対の遊技釘は、その間隔を広げることで、遊技球の通過を容易にする不正行為の対象となり易い。これに対し、始動入賞口２５の上方に取り付けられた釘ユニット２００のように、遊技球が通過したことで賞球や抽選などの特典を付与する入球口の入口として機能する一対の遊技釘が連結された釘ユニットについて、軸方向に対して直交する向きに形成された溝部を有する遊技釘を、溝部の延びる方向が連結部の長手方向に対して略直交するように取り付けることで、連結部により連結された一対の遊技釘が、その間隔を広げる負荷により破損され易くなるため、遊技釘間を広げる不正行為を抑制することができる。  上記各実施形態では、釘ユニット２００を構成する遊技釘として、溝部１１５，１１６を有する遊技釘１００Ｄを用いる構成としたが、遊技釘１００Ｄに代えて、遊技釘１００Ａを用いる構成としてもよい。また、釘ユニット２００を構成する釘部材として、遊技釘１００Ｂや遊技釘１００Ｃを用いる構成としてもよい。遊技釘の間に遊技球を通過させる釘ユニット、例えば、始動入賞口２５の上方に配置される一対の遊技釘の代替にする釘ユニット２００において、遊技釘として、遊技釘１００Ｂを用い、軸部１０１Ｂにおける直線部１０１Ｂａ１を含む面を内側に向けて配置する構成としてもよい。
【０１２３】
上記各実施形態では、釘ユニット２００における突出部２０１ａを、細長く延びる棒状に構成したが、細長く延びる板状であってもよい。また、上記各実施形態では、突出部２０１ａの長さを、釘ユニット２００を遊技板５０に取り付けた場合に、突出部２０１ａの先端が、遊技板５０の前面５１に接しない程度の長さとしたが、遊技板５０の前面に接する程度の長さとしてもよい。また、突出部２０１ａを挿入するための穴を遊技板５０に形成し、釘ユニット２００を遊技板５０に取り付けた場合に、突出部２０１ａを対応する穴に挿入する構成としてもよい。このとき、穴の外径は、突出部２０１ａの外径より大きくてもよく、突出部２０１ａに対応する穴の外径を十分に大きくすることで、突出部２０１ａに動きの自由度を持たせることができる。これにより、連結部２０１に沿って誘導される遊技球が突出部２０１ａにて弾み易くなる。
【０１２４】
（７）溝部１１５，１１６の変形例
上記各実施形態では、溝部１１５，１１６を有する遊技釘１００Ｄを、釘ユニット２００を構成する遊技釘として用いる構成としたが、単独で遊技板５０に取り付ける構成であってもよい。つまり、単独で遊技板５０に取り付けられる遊技釘の軸部に、溝部１１５，１１６と同様の、軸部を破損可能な溝部が設けられている構成であってもよい。単独で遊技板５０に取り付けられる遊技釘に溝部が形成されている場合には、当該遊技釘を、溝部が不正にかけられる負荷の方向に応じた向きとなるよう遊技板５０に取り付ける。
【０１２５】
上記各実施形態では、軸部１０１Ｄの周囲に一対となる２本の溝部１１５，１１６が形成される構成としたが、軸部１０１Ｄの全周に連なる溝部を形成する構成としてもよい。また、溝部１１５または溝部１１６のうち一方を軸部１０１Ｄに形成する構成としてもよい。
【０１２６】
上記各実施形態では、溝部１１５，１１６を、軸部１０１Ｄの軸方向に対して直交する向きに延びる溝部としたが、溝部１１５，１１６が、軸部１０１Ｄの軸方向に対して直交以外の角度を持って延びる溝部であってもよい。
【０１２７】
上記各実施形態では、溝部１１５，１１６が連結部２０１が延びる方向（すなわち、遊技球の流下方向に対して略直交する向き）を向くように、遊技釘１００Ｄを取り付ける構成としたが、溝部１１５，１１６が遊技球の流下方向に沿った向き（すなわち、遊技機正面視における上下方向）を向くように遊技釘１００Ｄを取り付ける構成としてもよい。かかる構成によれば、遊技板５０に取り付けられた遊技釘１００の、遊技球の流下方向に沿った向きに対する強度を高めることができる。よって、遊技球が通過したことで賞球や抽選などの特典を付与する入球口（例えば、始動入賞口２５）などの上方に取り付けられる一対の遊技釘など、その間を遊技球が流下する遊技釘について、遊技釘が流下する遊技球によって破損することを抑制できる。
【０１２８】
その一方で、当該変形例の構成によれば、遊技釘１００の、遊技球の流下方向に略直交する向きに対する強度が低くなるので、２本の遊技釘の間隔を広げる負荷によって遊技釘が破損し易くなる。従来から、遊技球が通過したことで賞球や抽選などの特典を付与する入球口（例えば、始動入賞口２５）などの上方に取り付けられる一対の遊技釘は、その間隔を広げることで、遊技球の通過を容易にする不正行為の対象となり易い。これに対し、当該一対の遊技釘として、軸方向に対して直交する向きに形成された溝部を有する遊技釘を用い、これらの遊技釘を、溝部の延びる方向が連結部の長手方向に対して略直交するように取り付けることで、入球口などの上方に取り付けられた一対の遊技釘が、その間隔を広げる負荷により破損され易くなるため、遊技釘間を広げる不正行為を抑制することができる。
【０１２９】
上記各実施形態では、溝部１１５，１１６を、遊技釘１００Ｄを遊技板５０に取り付けた場合に、遊技板５０の前面５１より前方であって、頭部１０２より前面５１に近い位置に設ける構成としたが、溝部１１５，１１６を、軸部１０１Ｄにおける頭部１０２に近い側に設ける構成としてもよい。この場合、当接部１１４より頭部１０２の側に溝部１１５，１１６を設けることが好ましい。溝部１１５，１１６が当接部１１４より頭部１０２の側に設けられたことで、遊技球との接触によって損傷を受ける可能性が少なくなるので、遊技中に遊技釘１００Ｄが誤って折損される場合を低減しつつ、不正行為を発見し易い機能を付加することができる。
【０１３０】
上記各実施形態では、溝部１１５，１１６の底の形状を略平面としたが、当該底の形状がＶ字型や丸みのある形状であってもよい。溝部１１５，１１６の底の形状を、Ｖ字型や丸みのある形状など、幅狭の形状とすることで、軸部１０１Ｄをより破損させ易くできる。また、上記各実施形態では、溝部１１５，１１６の側壁部分の形状を直線状としたが、当該側壁部分の形状が曲線であってもよい。
【０１３１】
（８）第２実施形態に係る一般入賞装置３３４の変形例
上記第２実施形態では、一般入賞口３２４が形成された一般入賞装置３３４を例示して説明したが、始動入賞口２５と同様の始動入賞口が形成された始動入賞装置や、スルーゲート２８と同様のスルーゲートが形成された装置などにも同様の構成を適用できる。
【０１３２】
上記第２実施形態では、細長く形成された軸部を有するピン４０１が台板３３４ｂに固定される構成としたが、ピン４０１の代わりに、遊技釘Ｑ１と対になって入口となるように、遊技機正面視において一般入賞口３２４の右端から上方に延びる所定形状（例えば、遊技機正面視においてピン４０１に相当する位置が頂点となる山型の形状）の樹脂部分が台板３３４ｂと一体になって成形されている構成であってもよい。かかる構成によれば、遊技釘Ｑ１と対になって入口となる樹脂部分を台板３３４ｂから動かしたり変形させたりすることができないので、一般入賞口３２４への遊技球の入球を有利にするための不正行為が困難となる。
【０１３３】
上記第２実施形態では、遊技機正面視において一般入賞口３２４の右上方にてピン４０１を台板３３４ｂに固定する構成としたが、一般入賞口３２４の左上方にてピン４０１を台板３３４ｂに固定する構成としてもよい。
【０１３４】
上記第２実施形態では、一般入賞装置３３４の台板３３４ｂに固定されるピンをピン４０１のみとしたが、一般入賞口３２４の入口を構成する複数のピンを台板３３４ｂに固定される構成であってもよい。
【０１３５】
上記第２実施形態では、一般入賞装置３３４に対し遊技機正面視における右側に２つの止め穴５５，５６を設ける構成としたが、３つ以上の止め穴を設ける構成としてもよい。これにより、一般入賞装置の取り付け態様を３種以上にすることができる。また、上記第２実施形態では、一般入賞装置３３４に対し遊技機正面視における左側に止め穴５４を設け、右側に止め穴５５，５６を設ける構成としたが、一般入賞装置３３４の右側に１の止め穴を設け、左側に複数の止め穴を設ける構成としてもよい。
【０１３６】
（９）遊技釘１００Ａ〜１００Ｄの変形例
上記各実施形態では、頭部１０２が、軸部１０１Ａ〜１０１Ｄの外径（より詳細には、断面が円形状である部分の外周）より大きな外径に（すなわち、太く）構成された遊技釘１００Ａ〜１００Ｄを例示したが、頭部１０２の外径が、軸部１０１Ａ〜１０１Ｄの外径より小さい遊技釘に本発明を適用してもよい。頭部１０２の外径が、軸部１０１Ａ〜１０１Ｄの外径より小さい遊技釘は、例えば、遊技板５０の裏面（すなわち、前面５１の裏側にあたる面）側から、前面５１側へと貫通させることで遊技板５０に取り付けられる構成としてもよい。また、軸部の突端部が頭部を構成し、突端部に外径の異なる部位を有しない遊技釘を用いる構成としてもよい。
【０１３７】
（１０）本発明は、上記実施形態とは異なるタイプのパチンコ機等に実施しても良く、パチンコ機以外にも、アレンジボール型パチンコ、雀球等の各種遊技機として実施するようにしても良い。
【０１３８】
＜上記実施形態から抽出される発明＞
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０１３９】
＜特徴１０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
前記遊技板に取り付けられる前記遊技釘の少なくとも一部は、２本の前記遊技釘間が連結部（連結部２０１）により連結されている釘ユニット（釘ユニット２００）の形態で取り付けられることを特徴とする遊技機。
【０１４０】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０１４１】
しかしながら、従来の遊技機においては、遊技釘の取り付け形態について未だ改良の余地があった。例えば、従来の遊技機において、遊技板に打ち込まれた遊技釘が不正に曲げられてしまうと、設計値とは異なる性能の遊技機になってしまう。
【０１４２】
これに対し、特徴１０に記載の遊技機であれば、遊技板に取り付けられる遊技釘の少なくとも一部が、遊技釘と遊技釘との間が連結部により連結された釘ユニットの形態で取り付けられているので、遊技釘の曲げ方向の自由度が連結部によって規制される。これにより、遊技釘を不正に曲げることが難しくなるため、遊技釘を曲げる不正行為を抑制できる。
【０１４３】
＜特徴１１＞
特徴１０に記載の遊技機であって、
前記釘ユニットは、前記連結部により連結された前記２本の遊技釘間に、前記連結部から前記遊技釘と略同方向に延びる中間部材（突出部２０１ａ）を含むことを特徴とする遊技機。
【０１４４】
特徴１１に記載の遊技機であれば、釘ユニットは、連結部により連結された２本の遊技釘間に、当該連結部から遊技釘と略同方向に延びる中間部材を含むので、中間部材の設置状況を変化させることとで２本の遊技釘間の距離が種々の釘ユニットを準備することが可能となる。これにより、例えば、配列された（連ねて配置される）複数の遊技釘を釘ユニットによって代替させることが可能となる。
【０１４５】
＜特徴１２＞
特徴１１に記載の遊技機であって、
前記中間部材は、前記釘ユニットを前記遊技板に取り付けた場合に、該遊技板側の先端が該遊技板の前面より前方に位置するよう設けられていることを特徴とする遊技機。
【０１４６】
特徴１２に記載の遊技機であれば、中間部材は、釘ユニットを遊技板に取り付けた場合に、遊技板側の先端が遊技板の前面より前方に位置するよう設けられているので、釘ユニットを遊技板に取り付けた状態であっても撓むことが可能となる。よって、当該中間部材が設けられた釘ユニットを、遊技球を所定方向に誘導するために当該所定方向に連ねて配置された複数の遊技釘に代えて利用した場合、所定方向に誘導される遊技球が中間部材上にて当該中間部材の撓みによって弾み易くなる。
【０１４７】
＜特徴２０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
入球口（一般入賞口３２４など）を有し、該入球口を遊技球が通過した場合に所定の特典を付与する入球装置（一般入賞装置３３４など）と、
該入球装置に一体化して、該入球装置の近傍に取り付けられている前記遊技釘と共に前記入球口への入口を構成する入口構成部（ピン４０１）と、
を備えていることを特徴とする遊技機。
【０１４８】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０１４９】
しかしながら、従来の遊技機においては、遊技釘の配置について未だ改良の余地があった。例えば、従来の遊技機において、遊技板に打ち込まれた遊技釘が不正に曲げられてしまうと、設計値とは異なる性能の遊技機になってしまう。不正な曲げによって性能の変化が大きい遊技釘は、例えば、始動入賞装置などの各種入賞装置（入球装置）における入賞口（入球口）の上方に取り付けられ当該入賞口への入口として機能する一対の遊技釘であり、当該一対の遊技釘の間隔を広げることで、入賞装置への遊技球の進入が不正に易化される。
【０１５０】
これに対し、特徴２０に記載の遊技機であれば、入球装置の近傍に取り付けられている遊技釘と共に、該入球装置における入球口への入口を構成する入口構成部が当該入球装置に一体化されているので、不正を行ったことで入口構成部が破損した場合には、入球装置の見た目が変化するので、当該不正行為を発見し易い。また、入口構成部が入球装置に対して動かないように一体化した場合には、入球口への入口を広げるための不正を入口構成部に施すことが困難となる。よって、入球口への有利にするための不正行為を抑制できる。
【０１５１】
＜特徴２１＞
特徴２０に記載の遊技機であって、
前記入球装置を前記遊技板に取り付けるための取付部（ビス３０１を挿通するための第１の挿通口、ビス３０２を挿通するための第２の挿通口）を備え、
前記取付部は、前記入球装置の、当該入球装置の入球口を遊技機正面視におけるほぼ真上に向けた状態において前記入球口の中心を通る上下方向の軸の左側に設けられた第１取付部と、前記軸の右側に設けられた第２取付部とを含み、
前記第１取付部と前記第２取付部とのうち一方の取付部は、前記遊技板における特定の第１取付位置（止め穴５４）に取り付けられ、
前記第１取付部と前記第２取付部とのうち他方の取付部は、前記遊技板における複数の第２取付位置（止め穴５５，５６）のいずれかに取り付けられることを特徴とする遊技機。
【０１５２】
特徴２１に記載の遊技機であれば、入球口を遊技機正面視におけるほぼ真上に向けた状態において当該入球口の中心を通る上下方向の軸の左右にそれぞれ設けられた第１取付部と第２取付部のうち、一方の取付部が、遊技板における特定の第１取付位置に取り付けられ、他方の取付部が、複数の第２の取付位置のいずれかに取り付けられるので、取付部を取り付けるために選択した第２の取付位置に応じて、入口構成部の、入口を構成する遊技釘に対する相対位置を変化させることができる。遊技釘に対する入口構成部の相対位置が変化すると、それに伴って、入球口への入口の間隔や当該入口への進入方向が変化するので、入球口への遊技球の入賞を入賞させる遊技に変化をもたらすことができる。これにより、異なる遊技性とした複数種類の遊技機を、取付部を取り付けるための第２の取付位置を選択することで簡易的に製造することができる。
【０１５３】
＜特徴３０＞
遊技球が前面側を流下する遊技板（遊技板５０）を備えた遊技機（パチンコ機１０）において、
前記遊技板の前面側には、発射装置から発射された遊技球が通過する発射通路（発射通路３１）と、該発射通路から排出された遊技球が流下する遊技領域（遊技領域２１）とが形成され、
前記発射通路と前記遊技領域とを仕切る仕切り部（配列された複数の遊技釘１００Ａ）を備え、
前記仕切り部は、前記遊技板に対して平行な断面における少なくとも前記遊技領域側が起伏形状に構成されていることを特徴とする遊技機。
【０１５４】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０１５５】
しかしながら、従来の遊技機においては、提供する遊技の興趣について未だ改良の余地があった。例えば、近年、遊技領域の中央に配設される中央構造体（センター装飾部材）が遊技の興趣向上のために大型化され、それに伴い、遊技球が流下する領域が限定される傾向にある。遊技球が流下する領域が限定されたことで、遊技球の流下挙動が単調となり、それによって、遊技球を流下させて入賞口や始動口などに入賞させる遊技の興趣が失われる可能性があった。
【０１５６】
これに対し、特徴３０に記載の遊技機であれば、発射装置から発射された遊技球が通過する発射通路と、該発射通路から排出された遊技球が流下する遊技領域とを仕切る仕切り部が、遊技板に対して平行な断面における少なくとも遊技領域側が起伏形状に構成されている。これにより、仕切り部に遊技領域側から接触した遊技球の挙動が複雑化されるので、中央構造体が大型化されたことで遊技領域が限定される場合であっても、遊技球の流下挙動が単調となり難く、好適な遊技の興趣を提供できる。
【０１５７】
なお、発射通路と遊技領域とを仕切る仕切り部として、発射通路における遊技領域側の壁面を一定の幅で構成する部分としてもよい。
【０１５８】
＜特徴３１＞
特徴３０に記載の遊技機であって、
前記仕切り部は、前記遊技板に対して平行な断面における前記発射領域側と前記遊技領域側とがともに起伏形状に構成されていることを特徴とする遊技機。
【０１５９】
特徴３１に記載の遊技機であれば、仕切り部が、遊技板に対して平行な断面における遊技領域側だけでなく、発射領域側が起伏形状に構成されているので、発射装置から発射された遊技球が遊技領域に到達せずに発射通路を逆流する場合において、逆流する遊技球の挙動が仕切り部との接触によって複雑化されるため、逆流する遊技球と次に発射された遊技球との衝突可能性を低減できる。これにより、遊技球が発射通路を逆流する事象が発生した後、遊技を早期に復帰させることが可能となる。
【０１６０】
＜特徴３２＞
特徴３０または３１に記載の遊技機であって、
前記遊技板の前面が向く前方側に突出するようにして取り付けられる遊技釘（遊技釘１００Ａ，１００Ｂ，１００Ｃ，１００Ｄ）を備え、
前記仕切り部は、複数の前記遊技釘の配列から構成されることを特徴とする遊技機。
【０１６１】
従来の遊技機においては、発射装置から発射された遊技球は、一組のレールにガイドされ、これらのレールの間に形成される発射通路を通って遊技領域に進入する（例えば、特開２００８−１６１６３８号公報参照）。しかしながら、従来の遊技機においては、発射された遊技球をガイドする一組のレールは、一般的に、金属製の薄板を滑らかに湾曲させながらねじ止めなどによって所定間隔で固定することで遊技板に立設されているので、使用により歪み易いという問題があった。レールが歪んだ場合、遊技領域を流下する遊技球が遊技釘とレールとの間に嵌まり込むなど、適正な遊技が阻害される可能性がある。
【０１６２】
特徴３２に記載の遊技機であれば、仕切り部は、複数の遊技釘の配列から構成されているので、個々の遊技釘に歪みが生じ難いことから、使用による仕切り部の歪みが生じ難く、適正な遊技を長期にわたって提供することができる。また、遊技釘を仕切り部として流用することができる。
【０１６３】
＜特徴４０＞
遊技球が前面側を流下する遊技板（遊技板５０）と、該遊技板の前面が向く前方側に突出するようにして取り付けられる遊技釘（遊技釘１００Ｂ，１００Ｃ）とを備えた遊技機（パチンコ機１０）において、
前記遊技釘は、前記前方側に突出する突端部に設けられる頭部（頭部１０２）と、該頭部の外径より細く形成された軸部（軸部１０１Ｂ，１０１Ｃ）とを備え、前記遊技板の前面側より前記軸部が挿入されて前記遊技板に取り付けられるものであり、
前記軸部は、該軸部の軸方向に対して垂直な断面が非円形状であり、該断面が第１の曲率の円弧に形成された第１の外面と、該第１の外面に接続された、前記断面が前記第１の曲率より小さな第２の曲率の円弧、直線、または少なくとも１の折れ曲がった角部を有する形に形成された第２の外面とを備えていることを特徴とする遊技機。
【０１６４】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０１６５】
しかしながら、従来の遊技機においては、遊技釘の形状について未だ改良の余地があった。例えば、従来の遊技機では、軸部の断面が略円形である遊技釘が一般的であり、遊技球が接触する（衝突する）位置に応じて特徴的な跳ね返りをすることがなく、興趣に欠けていた。
【０１６６】
これに対し、特徴４０に記載の遊技機であれば、遊技釘の軸部が、該軸部の軸方向（すなわち、該軸の長手方向）に対して垂直な断面が非円形状であり、該断面が第１の曲率の円弧に形成された第１の外面と、該第１の外面に接続された、前記断面が第１の曲率より小さな第２の曲率の円弧、直線、または少なくとも１の折れ曲がった角部を有する形に形成された第２の外面とを備えている。よって、遊技球が接触する位置に応じて特徴的に跳ね返ることになるため、遊技釘により跳ね返る遊技球の挙動に対する興趣を向上させることができる。
【０１６７】
また、軸部の断面が略円形である遊技釘が、遊技領域の周縁に設けられた仕切り部の近傍に取り付けられた場合、遊技領域を流下する遊技球が仕切り部と遊技釘の軸部の外周とにより形成される空間に嵌まり込むことがあった。これに対し、特徴４０に記載の遊技機であれば、上記構成される遊技釘を、例えば、第１の外面を、仕切り部に対し当該仕切り部との間に遊技球が嵌まり込まないような向きで仕切り部の近傍に取り付けることで、遊技領域を流下する遊技球が仕切り部と遊技釘の軸部の外周とにより形成される空間に嵌まり込むことを抑制できる。
【０１６８】
＜特徴４１＞
特徴４０に記載の遊技機であって、
前記遊技板の前面側には、発射装置から発射された遊技球が通過する発射通路（発射通路３１）と、該発射通路から排出された遊技球が流下する遊技領域（遊技領域２１）とが形成され、
前記発射通路と前記遊技領域との境界において、前記第１の外面が前記発射通路側に向けて配列された複数の前記遊技釘から構成される仕切り部（配列された複数の遊技釘１００Ｂ）を備えていることを特徴とする遊技機。
【０１６９】
従来の遊技機においては、発射装置から発射された遊技球は、一組のレールにガイドされ、これらのレールの間に形成される発射通路を通って遊技領域に進入する（例えば、特開２００８−１６１６３８号公報参照）。しかしながら、従来の遊技機においては、発射された遊技球をガイドする一組のレールは、一般的に、金属製の薄板から構成されているため、使用により歪み易いという問題があった。レールが歪んだ場合、それにより適正な遊技が阻害される虞がある。
【０１７０】
特徴４１に記載の遊技機であれば、仕切り部は、複数の遊技釘の配列から構成されているので、使用による歪みが生じ難く、適正な遊技を長期にわたって提供することができる。また、仕切り部を構成する複数の遊技釘は、第１の外面が発射通路側に向けて配列されているので、発射装置から発射された遊技球を好適にガイドして遊技領域へと進入させることができる。
【０１７１】
＜特徴４２＞
特徴４０に記載の遊技機であって、
前記遊技板の前面側には、発射装置から発射された遊技球が通過する発射通路（発射通路３１）と、該発射通路から排出された遊技球が流下する遊技領域（遊技領域２１）とが形成され、
前記遊技釘のうち、前記遊技領域における前記発射通路の出口近傍に取り付けられる遊技釘（遊技釘１００Ｃ）は、前記軸部の前記第２外面が、鋭角に折れ曲がった角部を有する形状に構成され、該鋭角に折れ曲がった角部を遊技機正面視における上方側に向けて前記遊技板に取り付けられることを特徴とする遊技機。
【０１７２】
特徴４２に記載の遊技機であれば、鋭角に折れ曲がった角部を有する形状に構成された第２外面を軸部に有する遊技釘が、該鋭角に折れ曲がった角部を遊技機正面視における上方側に向けて発射通路３１の出口近傍に取り付けられているので、発射領域から遊技領域に進入した遊技球について、前記第２外面を有する遊技釘による跳ね返り挙動を複雑化することができる。これにより、発射領域から遊技領域に進入した遊技球の挙動を遊技者に楽しませることができる。
【０１７３】
なお、発射通路の出口近傍に取り付けられる遊技釘として、遊技領域の入口（発射通路の出口）より高い位置に設けられ、当該入口から進入した遊技球を当該入口から離れた側（具体的には、遊技球の進行方向先端側）にて下方へと流下させることが可能な通路を形成する遊技釘であって当該通路における遊技領域の入口に近い側に配置される遊技釘としてもよく、当該通路を構成する遊技釘が上下方向に複数並んでいる場合は、それらのうち一番上に配置される遊技釘としてもよい。
【０１７４】
＜特徴５０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
前記遊技釘は、前記前方側に突出する突端部に設けられる頭部（頭部１０２）と、該頭部の外径より細く形成された軸部（軸部１０１Ａ，１０１Ｂ，１０１Ｃ，１０１Ｄ）とを備え、前記遊技板の前面側より前記軸部が挿入されて前記遊技板に取り付けられるものであり、
前記軸部には、該軸部の軸方向に対して角度を持つ方向に延びる該軸部を破損可能な溝部（溝部１１５，１１６）が外周に形成されていることを特徴とする遊技機。
【０１７５】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０１７６】
しかしながら、従来の遊技機においては、遊技釘の形状について未だ改良の余地があった。例えば、従来の遊技機において、遊技板に打ち込まれた遊技釘が不正に曲げられてしまうと、設計値とは異なる性能の遊技機になってしまう。
【０１７７】
これに対し、特徴５０に記載の遊技機であれば、遊技釘の軸部には、該軸部の軸方向に対して角度を持つ方向に延びる該軸部を破損可能な溝部が外周に形成されているので、遊技釘を曲げるための負荷を与えた場合に、その負荷によって遊技釘の軸部が破損する（例えば、折曲や折損など）可能性が、溝部を設けることで高められる。よって、遊技釘を曲げる不正行為を、軸部の破損といった見た目から発見し易い。また、そのように不正行為が発見し易くなるため、当該不正の実施が抑制される。
【０１７８】
＜特徴５１＞
特徴５０に記載の遊技機であって、
前記溝部は、
前記軸部を軸方向に対して略垂直な方向に切り欠いた第１の溝部（溝部１１５）と、
前記軸部の軸方向に対して前記第１の溝部の裏側となる位置に、該第１の溝部と略同方向に切り欠いた第２の溝部（溝部１１６）とから構成されることを特徴とする遊技機。
【０１７９】
特徴５１に記載の遊技機であれば、遊技釘の軸部を、特定方向からかけられる負荷に対して方向性をもって、すなわち、第１の溝部または第２の溝部が延びる向きに沿って破損させ易い。よって、負荷がかけられて曲げられる可能性がある遊技釘について、第１の溝部および第２の溝部を負荷がかけられ易い方向に応じて適宜向けて取り付けることで、遊技釘を曲げる不正行為を発見し易い。
【０１８０】
＜特徴５２＞
特徴５１に記載の遊技機であって、
前記遊技板に取り付けられる前記遊技釘の少なくとも一部は、２本の前記遊技釘間が連結部（連結部２０１）により連結された釘ユニット（釘ユニット２００）の形態で前記遊技板に設けられ、
前記釘ユニットにおいて前記連結部により連結された前記遊技釘は、前記第１の溝部または前記第２の溝部が延びる方向が、前記連結部が延びる方向に沿った方向を向くように配置されていることを特徴とする遊技機。
【０１８１】
特徴５２に記載の遊技機であれば、第１の溝部または第２の溝部が延びる方向が、釘ユニットにおける連結部が延びる方向に沿った方向を向くように配置されているので、溝部が破損した場合には、釘ユニットの見た目が大きく変わることになる。よって、不正にかけられた負荷によって行われた不正行為を、見た目の変化によって早期に発見でできる。
【０１８２】
＜特徴５３＞
特徴５０から５２のいずれかに記載の遊技機であって、
前記溝部は、前記遊技釘を前記遊技板に取り付けた場合に該遊技板の前面より前方であって、前記頭部より前記遊技板の前面に近い位置に形成されていることを特徴とする遊技機。
【０１８３】
特徴５３に記載の遊技機であれば、溝部が、遊技釘を遊技板に取り付けた場合に該遊技板の前面より前方であって、遊技釘の頭部より遊技板の前面に近い位置に形成されているので、頭部に不正に力を加えて遊技釘を曲げようとした場合に、力を加えられる位置（つまり力点）に対し、溝部が、支点となる遊技板の前面に比較的近い位置となるため、溝部に負荷がかかり易く、軸部を溝部において破損させ易い。
【０１８４】
＜特徴５４＞
特徴５３に記載の遊技機であって、
前記溝部は、前記遊技釘を前記遊技板に取り付けた場合に該遊技板の前面から前方に所定長さの位置に形成されていることを特徴とする遊技機。
【０１８５】
特徴５４に記載の遊技機であれば、溝部は、遊技釘を前記遊技板に取り付けた場合に該遊技板の前面から前方に所定長さの位置に形成されているので、軸部が溝部において折損された場合であっても、遊技釘は遊技板から所定長さだけ出た状態で残されるので、遊技釘を遊技板から取り外す作業を行い易い。
【０１８６】
＜特徴５５＞
特徴５０から５２のいずれかに記載の遊技機であって、
前記溝部は、前記遊技板に取り付けた前記遊技釘において前記遊技板の前面側を流下する遊技球が接触可能な位置より前記頭部の側に形成されていることを特徴とする遊技機。
【０１８７】
特徴５５に記載の遊技機であれば、溝部が、遊技板に取り付けた遊技釘において当該遊技板の前面側を流下する遊技球が接触可能な位置より頭部の側に形成されるので、遊技球との接触によって損傷を受ける可能性が少ない。よって、遊技中に遊技釘が誤って折損される場合を低減しつつ、不正行為を発見し易い機能を付加することができる。
【０１８８】
なお、特徴１０〜５５に記載のいずれか１つの特徴を他のいずれか又は複数の特徴に組み合わせて適用しても良い。また、特徴１０〜５５に記載の各遊技機について、遊技釘が頭部と軸部を備えたものであって、前記頭部と前記軸部の構成に代えて、前記遊技釘が、前記遊技板の前方側に突出する突端部に設けられる頭部と、該頭部に連設されて、その外径が該頭部の外径より太い（大径である）略棒状の軸部とを備えるものであってもよい。また、前記遊技釘が、頭部を有する略棒状の軸部を備える構成であってもよい。
以下には、上記した各特徴を適用し得る遊技機の基本構成を示す。
【０１８９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【産業上の利用可能性】
【０１９０】
以上のように、この発明は、パチンコ機等の遊技機に適している。
【符号の説明】
【０１９１】
１０…パチンコ機、２１…遊技領域、３１…発射通路、５０…遊技板、１００Ａ，１００Ｂ，１００Ｃ，１００Ｄ…遊技釘、１０１Ａ，１０１Ｂ，１０１Ｃ，１０１Ｄ…軸部、１０２…頭部、１１２…螺旋部、１１３…抜止部、１１４…当接部、１１５，１１６…溝部、２００…釘ユニット、２０１…連結部、２０１ａ…突出部、３３４…一般入賞装置、４０１…ピン、５４，５５，５６…止め穴
【図１】
0006540526.tif 000002
【図２】
0006540526.tif 000003
【図３】
0006540526.tif 000004
【図４】
0006540526.tif 000005
【図５】
0006540526.tif 000006
【図６】
0006540526.tif 000007
【図７】
0006540526.tif 000008